(57)【要約】      （修正有）【課題】ポリアセタール製として、コレットにスリットを入れて塑性変更をしないようにして、異径のピンゲージを確実且長期に亘り保持できる保持具を提供する。【解決手段】筒体ａとコレットｂとチャック体ｃとからなるピンゲージ保持具において、筒体ａは中空部１を有し、且左右両端部に開口部２、２を有し、前記左右サイド部３、３の外周部４、４に雄ネジ部５、５を設け、コレットｂはコレットｂの端部が筒体ａの開口部２、２に嵌挿可能にして、内側部にピンゲージｐを嵌挿する嵌挿孔６を有し、且スリットを有すると共に、径の異なる各種ピンゲージｐの外径の違いに対応するため機械的強度に優れ、旦弾性変形がしやすい材質のポリアセタール製とし、チャック体ｃは左右両サイドに開口部７、７を有し、且貫通孔８の内側部に雌ネジ部９を設け且開口部７、７の中、一方の開口部７を内側方に狭めて形成した。【選択図】図１
0003147567.tif 000002
【実用新案登録請求の範囲】
【請求項１】
筒体とコレットとチャック体とからなるピンゲージ保持具において、前記筒体は中空部を有し、且左右両端部に開口部を有し、前記左右サイド部の外周部に雄ネジ部を設け、前記コレットは前記コレットの端部が前記筒体の開口部に嵌挿可能にして、内側部にピンゲージを嵌挿する嵌挿孔を有し、且スリットを有すると共に、径の異なる各種ピンゲージの外径の違いに対応するため機械的強度に優れ、旦弾性変形がしやすい材質のポリアセタール製とし、前記チャック体は左右両サイドに開口部を有し、且貫通孔の内側部に雌ネジ部を設け且開口部の中、一方の開口部を内側方に狭めて形成したことを特徴とするピンゲージ保持具。
【請求項２】
前記コレットは、左右端部の開口部の間にスリットを形成することを特徴とする請求項１に記載のピンゲージ保持具。
【請求項３】
前記コレットは、左右両端部の開口部間の外周部に、前記左右端部の開口部間にして、且前記左右端部の開口部に対し直角状の凹溝を複数形成することを特徴とする請求項１又は同２に記載のピンゲージ保持具。
【請求項４】
前記コレットの凹溝は、前記コレットの外周を３等分する部位に形成せしめることを特徴とする請求項１又は同２又は同３に記載のピンゲージ保持具。
【請求項５】
前記コレットは、一端部から他端部方向にかけての所定の部位までの内側肉厚部に細長状のスリットを形成することを特徴とする請求項１又は同２又は同３又は同４に記載のピンゲージ保持具。
【請求項６】
前記コレットのスリットが、十字形状に形成することを特徴とする請求項１又は同２又は同３又は同４又は同５に記載のピンゲージ保持具。
【考案の詳細な説明】
【技術分野】
【０００１】
本考案は、ピンゲージ保持具の技術分野に関するものである。
【背景技術】
【０００２】
従来、ピンゲージ保持具として、実公平３−５５８５０号の実用新案公報が開示されているが、前記ピンゲージ本体のピンゲージ２１を囲繞する弾性体３１、５１、６１は、蓋体４１内に収納されているので、ピンゲージ２１を嵌挿する小径３３が拡がりにも限界があって、囲繞する異径のピンゲージ２１の本数が制限されることが明らかである。
【０００３】
さらに、前記ピンゲージ保持体の弾性体３１、５１、６１は、カップ１１に対し１個しか嵌挿することができないので、複数のピンゲージを測定時使用することができなかった。
【０００４】
また従来ピンゲージ保持体のピンゲージを保持する弾性体３１、５１、６１の保持強度を高めるには、蓋体４１を前記カップ１１内に螺入させて、前記弾性体３１、５１、６１の押圧力によって、ピンゲージ２１を保持する機構なので、前記ピンゲージ２１が稍傾斜もしくは偏心するおそれがあった。
【特許文献１】実公平３−５５８５０号公報
【考案の開示】
【考案が解決しようとする課題】
【０００５】
従来開示の実公平３−５５８５０号公報のピンゲージ保持体は、異径のピンゲージを保持する弾性体が弾性を有する資材、例えばスポンジ製もしくはゴム資材製なのか明らかでないが、同上の実用新案公報１頁左欄の上から４〜５行目において、「弾性体を用い、これを一方的に圧縮した際に生じる直角方向の膨張力を利用して・・・」との字句からして、スポンジ資材もしくはゴム資材製と理解できる。従ってプラスチック製もしくは金属製でないことは間違いない。
【０００６】
してみると、ピンゲージ２１はカップ１１の孔１５の径によって異径のものが出入し保持できるが、仮にも径の大きいものは、前記孔１５の径１杯で接触保持が十文かも知れないが、極細の径のピンゲージ２１の場合は、孔１５に対し遊び部分が大きく、保持せしめてもピンゲージ２１が傾斜して測定に不便を生ずるおそれがある。
【０００７】
しかるに本考案のピンゲージ保持具のコレットは、ポリアセタール（ＰＯＭ）（商品名「ジュラコン」）製として、さらに前記コレットにスリットを入れて塑性変更をしないようにして、異径のピンゲージを確実且長期に亘り保持できるようにした。
【０００８】
さらに、従来開示のピンゲージ保持体は、ピンゲージを保持する弾性体が１個しか使用することができないのに対し、本考案のピンゲージ保持体は、２個のコレットを同時に使用することができるようにした。
【課題を解決するための手段】
【０００９】
課題を解決するための手段として、請求項１記載の考案は、筒体ａとコレットｂとチャック体ｃとからなるピンゲージ保持具において、前記筒体ａは中空部１を有し、且左右両端部に開口部２、２を有し、前記左右サイド部３、３の外周部４、４に雄ネジ部５、５を設け、前記コレットｂは前記コレットｂの端部が前記筒体ａの開口部２、２に嵌挿可能にして、内側部にピンゲージｐを嵌挿する嵌挿孔６を有し、且スリット１０を有すると共に、径の異なる各種ピンゲージｐの外径の違いに対応するため機械的強度に優れ、旦弾性変形がしやすい材質のポリアセタール製とし、前記チャック体ｃは左右両サイドに開口部７、７を有し、且貫通孔８の内側部に雌ネジ部９を設け且開口部７、７の中、一方の開口部７を内側方に狭めて形成したことを特徴とするピンゲージ保持具である。
【００１０】
課題を解決するための手段として、請求項２記載の考案は、前記コレットｂは、左右端部の開口部２ａ、２ａの間にスリット１０を形成するピンゲージ保持具である。
【００１１】
課題を解決するための手段として、請求項３記載の考案は、前記コレットｂは、左右両端部の開口部２ａ、２ａ間の外周部１１に、前記左右端部の開口部２ａ、２ａ間にして、且前記左右端部の開口部２ａ、２ａに対し直角状の凹溝１２を複数形成するピンゲージ保持具である。
【００１２】
課題を解決するための手段として、請求項４記載の考案は、前記コレットｂのスリット１０と凹溝１２は、前記コレットｂの外周を３等分する部位に形成せしめるピンゲージ保持具である。
【００１３】
課題を解決するための手段として、請求項５記載の考案は、前記コレットｂは、一端部２ｂから他端部２ｂ方向にかけての所定の部位までの内側肉厚部２ｃに細長状のスリット１０を形成するピンゲージ保持具である。
【００１４】
課題を解決するための手段として、請求項６記載の考案は、前記コレットｂのスリット１０が、十字形状にけいせいするピンゲージ保持具である。
【考案の効果】
【００１５】
請求項１記載の考案は、筒体ａとコレットｂとチャック体ｃとからなるピンゲージ保持具において、前記筒体ａは中空部１を有し、且左右両端部に開口部２、２を有し、前記左右サイド部３、３の外周部４、４に雄ネジ部５、５を設け、前記コレットｂは前記コレットｂの端部が前記筒体ａの開口部２、２に嵌挿可能にして、内側部にピンゲージｐを嵌挿する嵌挿孔６を有し、且スリット１０を有すると共に、径の異なる各種ピンゲージｐの外径の違いに対応するため機械的強度に優れ、旦弾性変形がしやすい材質のポリアセタール製とし、前記チャック体ｃは左右両サイドに開口部７、７を有し、且貫通孔８の内側部に雌ネジ部９を設け且開口部７、７の中、一方の開口部７を内側方に狭めて形成したピンゲージ保持具なので、コレットが異径のピンゲージを従来のものに比し倍径のピンゲージまでも十分に保持できると共に、前記コレットが塑性変更をしない前記資材製（ポリアセタール）にしたことによって、長期に亘り使用しても、塑性変更をすることなく、且機械的強度に優れ、しかも弾性変形がしやすいので、従来品に比し著しく製品寿命を長くし、経済的である。
【００１６】
さらに本考案は、一本の筒体に対し、２個のコレットｂを嵌脱できるので、異径のピンゲージｐをより多く一度に利用できる。
【００１７】
また本考案は、コレットｂ内に挿入したピンゲージｐを機械的強度に優れ、且弾性変形がしやすい材料であるポリアセタール（ＰＯＭ）製としたコレットｂによって押圧保持がなされると共に、前記コレットｂの一端部が筒体の開口部より若干挿入し、且前記コレットｂの他端部が前記チャック体ｃの内側方に狭められた開口部によって押圧保持しているので、異径のピンゲージｐは確実に保持され動揺することがなくピンゲージｐの測定作業を確実且円滑に処理できる利点がある。
【００１８】
請求項２記載の考案は、前記コレットｂは、左右端部の開口部２ａ、２ａの間にスリット１０を形成するピンゲージ保持具なので、前記請求項１記載の考案の効果と同じ効果を有している。
【００１９】
請求項３記載の考案は、前記コレットｂは、左右両端部の開口部２ａ、２ａ間の外周部１１に、前記左右端部の開口部２ａ、２ａ間にして、且前記左右端部の開口部２ａ、２ａに対し直角状の凹溝１２を複数形成するピンゲージ保持具なので、前記請求項１又は同２記載の考案の効果と同じ効果を有している。
【００２０】
請求項４記載の考案は、前記コレットｂのスリット１０と凹溝１２は、前記コレットｂの外周を３等分する部位に形成せしめるピンゲージ保持具なので、前記請求項１又は同２又は同３に記載の考案の効果と同じ効果を有している。
【００２１】
請求項５記載の考案は、前記コレットｂは、一端部２ｂから他端部２ｂ方向にかけての所定の部位までの内側肉厚部２ｃに細長状のスリット１０を形成するピンゲージ保持具なので、前記請求項１又は同２又は同３又は同４記載の考案の効果と同じ効果を有している。
【００２２】
請求項６記載の考案は、前記コレットｂのスリット１０が、十字形状に形成のピンゲージ保持具なので、前記請求項１又は同２又は同３又は同４又は同５記載の考案の効果と同じ効果を有している。
【考案を実施するための最良の形態】
【００２３】
本考案の請求項１〜６記載の考案に関する実施の形態は共通しているので、以下のとおり一括して説明する。
【００２４】
本考案のピンゲージ保持具は、筒体ａとコレットｂとチャック体ｃとから構成されている。以下各構成部材につき説明する。
【００２５】
第１に前記筒体ａは中空部１を有し、且左右両端部に開口部２、２を有する。そして前記左右サイド部３、３の外周部４、４に雄ネジ部５、５を設ける。
【００２６】
また前記開口部２、２の径は通常同一径とするが限定しない。
【００２７】
第２に前記コレットｂの第１の実施の形態（図３、４）につき説明する。前記コレットｂの端部は前記筒体ａの開口部２、２に嵌挿可能にして、内側部にピンゲージｐを嵌挿する嵌挿孔６を有し、且径の異なる各種ピンゲージｐの外径の違いに対応するため機械的強度に優れ、且弾性変形がしやすい材質のポリアセタール製とする。
【００２８】
さらに前記コレットｂは、左右端部の開口部２ａ、２ａの間にかけて、スリット１０を形成する。このスリット１０によって、異径のピンゲージｐが嵌挿しても押圧を適宜に調整することができる。
【００２９】
また前記コレットｂは、左右端部の開口部２ａ、２ａ間の外周部１１に、前記左右端部の開口部２ａ、２ａ間にして、且前記左右端部の開口部２ａ、２ａに対し直角状の凹溝１２を複数形成する（図３、４）。
【００３０】
さらに前記コレットｂに形成の凹溝１２は、前記コレットｂの外周部１１を３等分した部位に平行状に形成する。
【００３１】
また本考案のコレットｂは、ポリアセタール製にしたので、従来から市販されていた既製品のアルミニウム製コレットと異なり、凹溝１２の肉厚を０．５ｍｍから０．７ｍｍ〜２．００ｍｍまで厚くすることができた。
【００３２】
そのため、機械的強度に優れ且弾性度がしやすくなった。
【００３３】
また前記コレットｂは、外側部を両開口部２ａ、２ａから夫々内側中央部にかけて、径が漸次大きくなるように、しかも対称的な外側傾斜部１３、１３を形成する。
【００３４】
前記コレットｂの傾斜部１３、１３は、前記筒体ａの開口部２、２への嵌挿をしやすくしたものである。
【００３５】
つぎにコレットｂの第２実施例の形態を説明する。このコレットｂも前記した第１実施例のコレットｂと同じ資材製である。
【００３６】
前記コレットｂは、一端部２ｂから開口状他端部２ｂ方向の所定の部位までの内側肉厚部２ｃに細長状にして、且十字形状のスリット１０を形成する。
【００３７】
前記肉厚部２ｃの長さは、前記コレットｂの稍中央部とする。
【００３８】
さらに前記第２実施例のコレットｂも、前記第１実施例のコレットｂと同じように、外側部に外側傾斜部１３、１３を形成し、前記筒体ａの開口部２、２内への嵌挿をスムーズにする。
【００３９】
また前記コレットｂの第３実施例につき説明すると以下のとおりである。
【００４０】
この実施例のコレットｂは、図８、９、１０に図示されているものであり、特に図９に図示されているように、スリット１０が、端部２ｄ、２ｄとの間に直線状に形成されている。
【００４１】
そして、前記コレットｂは、外側部に外側傾斜部１３、１３を形成し、前記筒体ａの開口部２、２内への嵌挿をスムーズにする。
【００４２】
さらに前記コレットｂも、第１、第２実施例のコレットｂと同じ材質の資材を使用する。
【００４３】
第３にチャック体ｃの実施の形態につき説明する。
【００４４】
前記チャック体ｃは左右両サイドに開口部７、７と貫通孔８を有し、且前記貫通孔８の内側部には雌ネジ部９を設ける。前記雌ネジ９は、筒体ａの雄ネジ５、５に螺合できる径を有している。
【００４５】
さらにチャック体ｃは、開口部７、７の中、一方の開口部７を図１のように内側方に狭めて形成する。その結果、図１のようにチャック体ｃを螺じ込むとピンゲージｐを挿入しているコレットｂを固定する。
【００４６】
上記の構成からなる筒体ａ、コレットｂとチャック体ｃを組立てると図１、５のようになる。
【００４７】
即ち、図１は筒体ａと第１実施例のコレットｂとチャック体ｃとを介してピンゲージｐを保持したものである。
【００４８】
前記したとおり、本考案の要旨は、コレットｂの構造を前記のような資材とスリット１０等を形成し、異径のピンゲージｐでも、前記コレットｂが機械的強度を発揮し、且弾性変形によって長期に亘って使用しつづけることができる。
【００４９】
さらに第２実施例のコレットｂも、径が極小なピンゲージｐをも確実に保持できる利点を有している。
【図面の簡単な説明】
【００５０】
【図１】本考案ピンゲージ保持具の縦断面図である。
【００５１】
【図２】同保持具の組立て前の状態を示す正面図である。
【００５２】
【図３】同保持具のコレットの一部切欠正面図である。
【００５３】
【図４】図３のコレットの右側面図である。
【００５４】
【図５】同第２実施例のコレットを使用したピンゲージ保持具の縦断面図である。
【００５５】
【図６】同第２実施例のコレットの正面図である。
【００５６】
【図７】図６のコレットの右側面図である。
【００５７】
【図８】同第３実施例のコレットの組立前の状態を示す図である。
【００５８】
【図９】同図８のコレットの正面図である。
【００５９】
【図１０】同図８のコレットの右側面図である。
【符号の説明】
【００６０】
ａ      筒体
ｂ      コレット
ｃ      チャック体
ｐ      ピンゲージ
１      中空部
２      開口部
２ａ    開口部
２ｂ    一端部
２ｂ    他端部
２ｃ    肉厚部
２ｄ    端部
３      左右サイド部
４      外周部
５      雄ネジ
６      嵌挿孔
７      開口部
８      貫通孔
９      雌ネジ部
１０    スリット
１１    外周部
１２    凹溝
１３    傾斜部
【図１】
0003147567.tif 000003
【図２】
0003147567.tif 000004
【図３】
0003147567.tif 000005
【図４】
0003147567.tif 000006
【図５】
0003147567.tif 000007
【図６】
0003147567.tif 000008
【図７】
0003147567.tif 000009
【図８】
0003147567.tif 000010
【図９】
0003147567.tif 000011
【図１０】
0003147567.tif 000012